(57)【要約】【課題】  耳の内部に挿入するイヤーパッドを備え、ケーブルを介して再生装置と電気的に接続し、再生装置から出力されたオーディオ信号を出力するヘッドホン装置において、耳への装着性を向上すると共に、耳の内部に痛みを生じさせてしまうことを防止することができるヘッドホン装置を提供する。【解決手段】  ハウジングに固着しオーディオ信号を放音する振動板を有するドライバーユニットと、一端が前記ハウジングに固着され他端にイヤーパッドを保持し、内部が空洞であって当該ハウジングに固着した部分から先端部分に亘って前記ハウジングに対して予め定めた角度だけ傾斜するよう形成されたノズル部とを備える。【選択図】      図２
2013135266.tif 000002
【特許請求の範囲】
【請求項１】
ケーブルを介して入力端子に入力されたオーディオ信号を出力するヘッドホン装置において、
ハウジングに固着しオーディオ信号を放音する振動板を有するドライバーユニットと、
一端が前記ハウジングに固着され他端にイヤーパッドを保持し、内部が空洞であって当該ハウジングに固着した部分から先端部分に亘って前記ハウジングに対して予め定めた角度だけ傾斜するよう形成されたノズル部とを備えることを特徴とするヘッドホン装置。
【請求項２】
請求項１記載のヘッドホン装置において、
前記ノズル部は、一側面の中間部分に外側方向に膨らんだ外方向湾曲部を備えることを特徴とするヘッドホン装置。
【請求項３】
請求項１または２記載のヘッドホン装置において、
前記ノズル部は、一側面の中間部分に内側方向に膨らんだ内方向湾曲部を備えることを特徴とするヘッドホン装置。
【請求項４】
請求項１乃至３のいずれかに記載のヘッドホン装置において、
前記ヘッドホン装置は、前記ハウジングの上方に薄い板により形成される羽状板部を備えることを特徴とするヘッドホン装置。
【発明の詳細な説明】
【技術分野】
【０００１】
本発明は、ケーブルを介して再生装置と接続し、再生装置から出力されたオーディオ信号を出力するヘッドホン装置に関する。
【背景技術】
【０００２】
従来のヘッドホン装置として、耳の内部に挿入するイヤーパッドを備え、ケーブルを介して再生装置と電気的に接続し、再生装置から出力されたオーディオ信号を出力するヘッドホン装置が知られている。
【０００３】
耳の内部にイヤーパッドを挿入するタイプの従来のヘッドホン装置においては、使用者の耳の内部へのヘッドホン装置の装着性を向上するために、ハウジングに対してイヤーパッドの突出角度を一定角度だけオフセットさせることによって耳への装着性を向上させたものがある（例えば、特許文献１参照）。
【０００４】
図５は、ハウジングに対してイヤーパッドの突出角度を一定角度だけオフセットさせた従来のヘッドホン装置をユーザの耳に装着した状態を示す上面図である。
図５においては、上方向を使用者の耳の外方向とし、また、右方向を使用者の前方とする。
【０００５】
図５に示すように、従来のヘッドホン装置１００は、ハウジング２００及びイヤーパッド４を備える。イヤーパッド４は、樹脂ゴム部材等の弾性体により形成され、ハウジング２００に対して前方に一定角度だけオフセットした状態で配設されている。ヘッドホン装置１００は、図示しない再生装置から出力されたオーディオ信号を図示しないケーブルを介してハウジング２００の内部に備えるドライバーユニットに入力し、当該ドライバーユニットがオーディオ信号を音波として出力する。ドライバーユニットによって出力されたオーディオ信号の音波は、イヤーパッドの内部を伝達して使用者の耳の内部に放音される。
【０００６】
ヘッドホン装置１００を耳５０に装着する場合は、図５に示すように、イヤーパッド４の先端を耳甲介５０１から外耳道５０２に向けて挿入し、イヤーパッド４の外周部分が外耳道入り口５０３の内壁によって保持されるようにする。このとき、耳５０の外耳道入り口５０３が耳甲介５０１の内側から前方に突出しており、ヘッドホン装置１００は、ハウジング２００に対してイヤーパッド４を使用者の前方にオフセットさせて配設させることによって、イヤーパッド４の外周部分が外耳道入り口５０３の内壁に適切に保持されることにより、ヘッドホン装置１００の装着性が向上する。
【先行技術文献】
【特許文献】
【０００７】
【特許文献１】特開２００７−１８９４６８号公報
【発明の概要】
【発明が解決しようとする課題】
【０００８】
ハウジングに対してイヤーパッドの突出角度を一定角度だけオフセットさせた従来のヘッドホン装置は、使用者がヘッドホン装置１００を耳５０に装着している状態の場合、ハウジング２００の外周の一部分が、図５において矢印Ａで示す外耳道入り口５０３の膨らみ部分を部分的に押圧し、また、ハウジング２００が、図５において矢印Ｂで示す耳珠５０４の膨らみ部分を押圧した状態となる。
【０００９】
このように、外耳道入り口５０３の膨らみ部分及び耳珠５０４の膨らみ部分をハウジング２００が押圧した状態でヘッドホン装置１００を長時間装着すると、外耳道入り口５０３及び耳珠５０４がハウジング２００の外周部分に押圧された状態が長時間継続されるため、外耳道入り口５０３及び耳珠５０４に痛みが生じることがある。従来のヘッドホン装置１００がハウジング２００の外周部分が耳５０の外耳道入り口５０３及び耳珠５０４を長時間押圧することによって耳５０の内部に痛みが生じてしまうと、ヘッドホン装置１００の装着性が損なわれてしまう。
【００１０】
本発明は、耳の内部に挿入するイヤーパッドを備え、ケーブルを介して再生装置と電気的に接続し、再生装置から出力されたオーディオ信号を出力するヘッドホン装置において、耳への装着性を向上すると共に、耳の内部に痛みを生じさせてしまうことを防止することができるヘッドホン装置を提供することを目的とする。
【課題を解決するための手段】
【００１１】
本願の請求項１記載の発明は、ケーブルを介して入力端子に入力されたオーディオ信号を出力するヘッドホン装置において、ハウジングに固着しオーディオ信号を放音する振動板を有するドライバーユニットと、一端が前記ハウジングに固着され他端にイヤーパッドを保持し、内部が空洞であって当該ハウジングに固着した部分から先端部分に亘って前記ハウジングに対して予め定めた角度だけ傾斜するよう形成されたノズル部とを備えることを特徴とする。
【００１２】
本願の請求項２記載の発明は、請求項１記載のヘッドホン装置において、前記ノズル部は、一側面の中間部分に外側方向に膨らんだ外方向湾曲部を備えることを特徴とする。
【００１３】
本願の請求項３記載の発明は、請求項１または２記載のヘッドホン装置において、前記ノズル部は、一側面の中間部分に内側方向に膨らんだ内方向湾曲部を備えることを特徴とする。
【００１４】
本願の請求項４記載の発明は、請求項１乃至３のいずれかに記載のヘッドホン装置において、前記ヘッドホン装置は、前記ハウジングの上方に薄い板により形成される羽状板部を備えることを特徴とする。
【発明の効果】
【００１５】
本発明によれば、耳の内部に挿入するイヤーパッドを備え、ケーブルを介して再生装置と電気的に接続し、再生装置から出力されたオーディオ信号を出力するヘッドホン装置において、耳への装着性を向上すると共に、耳の内部に痛みを生じさせてしまうことを防止することができるヘッドホン装置を提供することができる。
【図面の簡単な説明】
【００１６】
【図１】本発明の一実施例のヘッドホン装置を示す側方断面図。
【図２】図１に示すヘッドホン装置１の上方断面図。
【図３】本実施例のヘッドホン装置１をユーザの耳に装着した状態を示す上面図。
【図４】本発明のヘッドホン装置の他の例を示す図で、図４（ａ）はヘッドホン装置の上面図で、図４（ｂ）はヘッドホン装置の前面図。
【図５】ハウジングに対してイヤーパッドの突出角度を一定角度だけオフセットさせた従来のヘッドホン装置をユーザの耳に装着した状態を示す上面図。
【発明を実施するための形態】
【００１７】
本発明の実施の形態を図面を参照して説明する。なお、背景技術及び図５で示した構成要素と同一の部分については同符号を用いる。
【００１８】
図１は、本発明の一実施例のヘッドホン装置を示す側方断面図である。
ヘッドホン装置１は、ハウジング２、ノズル部３、イヤーパッド４、ケーブル６、ドライバーユニット７及び図示しない入力端子を備える。
図１に示すヘッドホン装置１においては、左方向をヘッドホン装置１の前方とし、上方向をヘッドホン装置１の上方とする。
【００１９】
図２は、図１に示すヘッドホン装置１の上方断面図である。
図２に示すヘッドホン装置１においては、下方向をヘッドホン装置１の前方とし、右方向をヘッドホン装置１の右側とし、左方向をヘッドホン装置１の左側とする。
【００２０】
図１及び図２に示すように、ハウジング２は、円筒型を形成し、前方に開口する凹部２０１を備え、下方に孔２０２を備える。ケーブル６は、一端がハウジング２の孔２０２を介してハウジング２の内部に挿入され、このハウジング２の内部で結び目６０１を形成する。ケーブル６は、この結び目６０１によってハウジング２の内部から下方に脱落しないように成されている。ハウジング２の内部で結び目６０１が形成されたケーブル６の一端からは、リード線６０２が突出した状態とされる。
【００２１】
ドライバーユニット７は、図示しない振動板を備え、ケーブル６のリード線６０２に電気的に接続される。ドライバーユニット７は、ハウジング２の前方部分の内壁に接着剤等により固着される。
【００２２】
ノズル部３は、図１に示すように、内部が空洞であって、後部３０２から前部３０１に亘って外形が小さくなる円錐形を形成する。また、ノズル部３は、図２に示すように、後部３０２から前部３０１に亘ってハウジング２に対して角度Ｃだけ右側にオフセットして傾斜するよう形成されている。本実施例においては、この傾斜角度を４０度とする。ノズル部３は、後部３０２から前部３０１に亘ってハウジング２に対して角度Ｃだけ右側に傾斜していることに付随して、左の側面の中間部分に外側方向に膨らんだ外方向湾曲部３０６を備え、また、右の側面の中間部分に内側方向に膨らんだ内方向湾曲部３０７を備える。
【００２３】
ノズル部３の後部３０２は、ハウジング２の先端部分に接着剤等により固着される。ノズル部３は、前部３０１の前方部分に、円筒形を形成し、前後に貫通する孔３０４を備えた凸部３０３を備える。凸部３０３は、外周の中央部分に溝部３０５を備える。
【００２４】
イヤーパッド４は、ゴム部材等の弾性体により円筒型に形成され、前後に貫通する孔４０１を備える。イヤーパッド４は、後方の内側部分に鍔部４０２を備える。イヤーパッド４は、鍔部４０２が凸部３０３の溝部３０５にはめ込まれることによってノズル部３の前方に保持された状態となる。
【００２５】
ヘッドホン装置１は、ハウジング２に挿入されたケーブル６の他端に図示しない入力端子を備える。この入力端子は、図示しない再生装置の出力端子に接続される。ヘッドホン装置１は、再生装置の出力端子から出力されるオーディオ信号を入力端子によって入力し、入力端子から入力したオーディオ信号をケーブル６を介してドライバーユニット７から放音する。ヘッドホン装置１の使用者は、イヤーパッド４を耳にはめ込んだ状態で、再生装置からオーディオ信号を再生させる。このことにより、再生装置が再生したオーディオ信号が入力端子及びケーブル６を介してドライバーユニット７によって放音され、この放音されたオーディオ信号がノズル部３の内部を介してイヤーパッド４の孔４０１の内部に伝達する。これにより、使用者は、ヘッドホン装置１を耳に装着した状態で、ヘッドホン装置１から出力されるオーディオ信号を聴取することができる。
【００２６】
図３は、本実施例のヘッドホン装置１をユーザの耳に装着した状態を示す上面図である。
図３においては、上方向を使用者の耳の外方向とし、また、右方向を使用者の前方とする。
【００２７】
ヘッドホン装置１を耳５０に装着する場合は、図３に示すように、イヤーパッド４の先端を耳甲介５０１から外耳道５０２に向けて挿入し、イヤーパッド４の外周部分が外耳道入り口５０３の内壁によって保持されるようにする。このとき、耳５０の内部は、外耳道入り口５０３の内壁が耳甲介５０１の内側から前方に突出し、また、耳珠５０４の内壁が耳５０の入り口から内部に亘って前方に傾斜しているが、ヘッドホン装置１は、ノズル部３が後部３０２から前部３０１に亘ってハウジング２に対して角度Ｃだけ右側に傾斜するよう形成されていることにより、ヘッドホン装置１の装着性を向上させることができる。
【００２８】
本実施例のヘッドホン装置１は、ノズル部３の左の側面の中間部分に外側方向に膨らんだ外方向湾曲部３０６を備えるため、イヤーパッド４が外耳道入り口５０３に保持されている状態の場合、ノズル部３及びハウジング２の外周の一部分が図３において矢印Ａで示す外耳道入り口５０３の膨らみ部分を部分的に押圧せずに、ノズル部３の外方向湾曲部３０６の表面の広い面積の部分で外耳道入り口５０３の膨らみ部分と当接した状態となる。このように、ノズル部３の外方向湾曲部３０６の表面の広い面積の部分が外耳道入り口５０３の膨らみ部分と当接することにより、外耳道入り口５０３の一定面積当たりに掛かる押圧力が低くなるため、外耳道入り口５０３に痛みが生じることを防止することができる。また、本実施例のヘッドホン装置１は、ノズル部３の右の側面の中間部分に内側方向に膨らんだ内方向湾曲部３０７を備えるため、イヤーパッド４が外耳道入り口５０３に保持されている状態の場合、ノズル部３及びハウジング２の外周部分が図３において矢印Ｂで示す耳珠５０４の膨らみ部分を押圧することがない。
【００２９】
このように、本実施例のヘッドホン装置１は、ノズル部３の左側面の中間部分に外側方向に膨らんだ外方向湾曲部３０６を備え、また、ノズル部３の右側面の中間部分に内側方向に膨らんだ内方向湾曲部３０７を備えるため、使用者がヘッドホン装置１を長時間装着しても、外耳道入り口５０３の内壁部分や耳珠５０４の内壁部分がヘッドホン装置１に押圧され続けてしまい、耳５０の内部に痛みが生じてしまうことを防止することができる。
【００３０】
また、本実施例のヘッドホン装置１は、ヘッドホン装置１を耳に挿入し、イヤーパッド４の外周部分が外耳道入り口５０３の内壁によって保持されている状態の場合、ノズル部３の外方向湾曲部３０６の表面の広い面積の部分が外耳道入り口５０３の膨らみ部分と当接すると共に耳珠５０４を押圧しないことから、イヤーパッド４の表面が外耳道入り口５０３の内壁に適切に当接した状態で、ドライバーユニット７から出力されたオーディオ信号がノズル部３及びイヤーパッド４の内部を介して適切に耳５０の外耳道５０２に伝達するため、ヘッドホン装置１によって出力するオーディオ信号の音質を向上させることができる。
【００３１】
本実施例のヘッドホン装置１は、図２に示すように、ノズル部３が後部３０２から前部３０１に亘ってハウジング２に対して４０度だけ右側に傾斜するよう形成されている構成としたが、この傾斜角度は、使用者の耳の形状に合わせて４０度以外のどのような角度でも良いし、また、例えば、ノズル部３の傾斜角度を自由に変化させることができる構成とし、使用者の好みに合わせてノズル部３の傾斜角度を任意の角度に変更できる構成としても良い。
【００３２】
本実施例のヘッドホン装置１は、ノズル部３の左の側面の中間部分に外側方向に膨らんだ外方向湾曲部３０６を備え、また、ノズル部３の右の側面の中間部分に内側方向に膨らんだ内方向湾曲部３０７を備える構成としたが、耳５０の耳珠５０４の膨らみにノズル部３の外周が当接することに使用者の違和感がない場合は、ノズル部３の右の側面の中間部分に内側方向に内方向湾曲部３０７を備えず、ノズル部３の左の側面の中間部分に外側方向に外方向湾曲部３０６のみを備える構成としても良い。
【００３３】
また、本実施例のヘッドホン装置１は、ノズル部３の左の側面の中間部分に外側方向に膨らんだ外方向湾曲部３０６を備え、また、ノズル部３の右の側面の中間部分に内側方向に膨らんだ内方向湾曲部３０７を備える構成としたが、耳５０の外耳道入り口５０３の膨らみにノズル部３の外周の一部分が部分的に当接することに使用者の違和感がない場合は、ノズル部３の左の側面の中間部分に外側方向に外方向湾曲部３０６を備えず、ノズル部３の右の側面の中間部分に内側方向に内方向湾曲部３０７のみを備える構成としても良い。
【００３４】
本実施例のヘッドホン装置１は、再生装置からオーディオ信号を入力するケーブル６を備える構成としたが、ケーブル６を備えずに、例えば、再生装置からのオーディオ信号を無線によってドライバーユニット７が入力する構成としても良い。このように、再生装置からのオーディオ信号を無線によってドライバーユニット７が入力する構成とすることにより、ヘッドホン装置１にケーブル６を備える必要がなくなるため、使用者が歩行している場合や、ジョギングしている場合において、ヘッドホン装置１の装着性を一層向上させることができる。
【００３５】
次に、本発明のヘッドホン装置の他の例について説明する。
【００３６】
図４は、本発明のヘッドホン装置の他の例を示す図で、図４（ａ）はヘッドホン装置の上面図で、図４（ｂ）はヘッドホン装置の前面図である。
図４（ａ）においては、下方向をヘッドホン装置の前方とし、右方向をヘッドホン装置の右側とし、左方向をヘッドホン装置の左側とする。
図４（ｂ）においては、上方向をヘッドホン装置の上方とし、右方向をヘッドホン装置の右側とし、左方向をヘッドホン装置の左側とする。
【００３７】
本発明のヘッドホン装置の他の例においては、前述した一実施例のヘッドホン装置１の構成に後述する羽状板部を追加したのみの構成であるため、前述した各構成についての説明は省略する。
【００３８】
図４に示すように、ヘッドホン装置１０は、前述したヘッドホン装置１の各構成に加えて羽状板部８を備える。
【００３９】
図４（ｂ）に示すように、羽状板部８は、ゴム部材、プラスチック部材等の弾性体から成り、羽根型を成した薄い板により形成される。羽状板部８は、ハウジング２の前部の上方に配設されるように下方部分がハウジング２の前方部分に固着される。
【００４０】
ヘッドホン装置１０を耳に装着する場合は、図３で説明したのと同様に、イヤーパッド４の先端を耳の内部に向けて挿入し、イヤーパッド４の外周部分が外耳道入り口の内壁によって保持されるようにすると共に、ハウジング２の上方に配設された羽状板部８を耳甲介の窪み部分に挿入する。このことにより、ヘッドホン装置１０は、イヤーパッド４が耳の内部に挿入されると共に、羽状板部８が耳甲介の上方の内壁に当接した状態となる。このため、ヘッドホン装置１０は、羽状板部８が耳甲介の上方の内壁に当接した状態となることにより、羽状板部８を介して耳甲介の窪み部分に正確に保持された状態となる。
【００４１】
このように、本実施例の他の例のヘッドホン装置１０は、前述したヘッドホン装置１と同様に、ノズル部３の左の側面の中間部分に外側方向に膨らんだ外方向湾曲部３０６を備えるため、ノズル部３及びハウジング２の外周の一部分が外耳道入り口の膨らみ部分を部分的に押圧せずに、ノズル部３の外方向湾曲部３０６の表面の広い面積の部分で外耳道入り口の膨らみ部分と当接した状態となり、また、ノズル部３の右の側面の中間部分に内側方向に膨らんだ内方向湾曲部３０７を備えるため、ノズル部３及びハウジング２の外周部分が耳珠の膨らみ部分を押圧することなく耳に装着することができることに加えて、羽状板部８が耳甲介の上方の内壁に当接することによってヘッドホン装置１０を耳甲介の窪み部分に正確に保持させることができる。このため、外方向湾曲部３０６及び内方向湾曲部３０７と耳の内部の内壁との間に隙間で生じてしまった場合でも、羽状板部８が耳甲介の上方の内壁に当接することによってヘッドホン装置１０が耳甲介の窪み部分に正確に保持されることにより、ヘッドホン装置１０を耳に装着している間にイヤーパッド４が耳の内部から抜け落ちてしまったり、イヤーパッド４の装着位置がズレてしまうことを防止することができる。
【００４２】
本実施例の他の例のヘッドホン装置１０は、羽状板部８が羽根型を成した薄い板により形成されてハウジング２の前部の上方に配設されるようハウジング２に固着する構成としたが、耳甲介の窪み部分に挿入可能であれば羽根型以外にもどのような形状でも良く、また、羽状板部８をハウジング２に固着しないで、例えば、イヤーパッド４やノズル部３に固着する構成としても良い。
【００４３】
本実施例の他の例のヘッドホン装置１０は、羽状板部８がハウジング２に固着する構成としたが、羽状板部８がヘッドホン装置１０のハウジング２やノズル部３から着脱可能なように構成されていても良い。この場合、例えば、ハウジング２の上面部分に凹部を備えると共に羽状板部８の下方の根元部分に凸部を備え、羽状板部８の凸部をハウジング２の凹部に挿入可能とすることによって羽状板部８をハウジング２から着脱可能とする。このことによって、ユーザの好みに応じてヘッドホン装置１０に羽状板部８を備えた状態と備えない状態に変化させることができるので、ユーザの用途、使い心地等に応じてヘッドホン装置１０を装着する場合の利便性を向上させることができる。
【００４４】
本実施例の他の例のヘッドホン装置１０は、羽状板部８が薄い板により形成されてこととしたが、薄い板の部材以外にも、例えば、薄いメッシュ素材によって形成されていても良いし、また、羽状板部８の表面に凹凸や複数の孔を備えた構成としても良い。このことにより、羽状板部８が耳に触れたときの装着感を向上させることができるので、ヘッドホン装置１０を耳に装着した場合の装着性を一層向上させることができる。
【産業上の利用可能性】
【００４５】
本発明は、ケーブルを介して再生装置と接続し、再生装置から出力されたオーディオ信号を出力するヘッドホン装置に有用に用いることができる。
【符号の説明】
【００４６】
１  ヘッドホン装置、２  ハウジング、２０１  凹部、２０２  孔、
３  ノズル部、３０１  前部、３０２  後部、３０３  凸部、３０４  孔、
３０５  溝部、３０６  外方向湾曲部、３０７  内方向湾曲部、
４  イヤーパッド、４０１  孔、４０２  鍔部、６  ケーブル、
６０１  結び目、６０２  リード線、７  ドライバーユニット、８  羽状板部、
５０  耳、５０１  耳甲介、５０２  外耳道、５０３  外耳道入り口、５０４  耳珠、
１０  ヘッドホン装置、１００  ヘッドホン装置、２００  ハウジング
【図１】
2013135266.tif 000003
【図２】
2013135266.tif 000004
【図３】
2013135266.tif 000005
【図４】
2013135266.tif 000006
【図５】
2013135266.tif 000007